(57)【要約】【課題】  異なる機種に共通な回路基板を共通部品の異なった位置へ搭載して制御モードが変わるようにするのに、誤搭載基板が組み込まれるのを阻止できるようにする。【解決手段】  回路基板２３は、複数の機種にほぼ共通した共通部品８１を搭載する共通部品搭載部８２が複数の機種ごとに異なった位置に設けられ、特定機種の共通部品８１を搭載した共通部品搭載部８２の位置により制御手段６の制御モードが特定機種に対応するように特定され、かつ、複数の機種ごとに異なる個別部品８３を搭載する個別部品搭載部８４が特定位置に設けられて、この個別部品搭載部８４に特定機種に対応する個別部品８３を搭載することにより、この個別部品８３がこれに対応する特定機種以外の他機種に対応する共通部品搭載８２部をマスキングするようにして、上記の目的を達成する。【選択図】  図３
2005305005.tif 000002
【特許請求の範囲】
【請求項１】
蓋閉じ状態の器体内で加熱により炊飯を行う飯器と、前記加熱を行う加熱手段と、部品を搭載した複数の機種にほぼ共通な回路基板を含み、前記加熱手段を複数の機種ごとの制御モードで制御した炊飯が行える制御手段と、を備え、
回路基板は、複数の機種にほぼ共通した共通部品を搭載する共通部品搭載部が複数の機種ごとに異なった位置に設けられて、特定機種の共通部品を搭載した共通部品搭載部の位置の違いにより制御手段の制御モードが特定機種に対応するように特定され、かつ、複数の機種ごとに異なる個別部品を搭載する個別部品搭載部が特定位置に設けられて、この個別部品搭載部に特定機種に対応する個別部品を搭載することにより、搭載した個別部品がこれに対応する特定機種以外の他機種に対応する共通部品搭載部をマスキングするようにしたことを特徴とする電気炊飯器。
【請求項２】
個別部品搭載部は、個別部品それぞれに共通して１種類設ける請求項１に記載の電気炊飯器。
【請求項３】
共通部品は、バックアップ用の電池である請求項１、２のいずれか１項に記載の電気炊飯器。
【請求項４】
個別部品は、非制御系部品である請求項１〜３のいずれか１項に記載の電気炊飯器。
【請求項５】
マスキングは、個別部品に一体形成したマスク部が行う請求項１〜４のいずれか１項に記載の電気炊飯器。
【請求項６】
マスク部は、共通部品搭載部をなす穴部の拡張部に穴部の一部を含んで嵌り合う請求項１〜５のいずれか１項に記載の電気炊飯器。
【発明の詳細な説明】
【技術分野】
【０００１】
本発明はヒータや電磁誘導などの電気的な加熱によって炊飯を行う電気炊飯器に関するものである。
【背景技術】
【０００２】
電気炊飯器は、加熱方式の違いにかかわらずその基本構成は概ね共通している。本実施の形態を示す図１を参照して説明すると、蓋１で閉じた状態の器体２内で加熱されるかまたはおよび発熱されて加熱による炊飯を行う飯器３と、前記加熱を行う加熱手段４と、飯器３の温度を検出する温度センサ５と、温度センサ５が検出する飯器温度に基づき加熱手段４を制御して炊飯を行う制御手段６とを備えている。電気炊飯器は古くから提供され美味しいご飯を炊くべく日進月歩してきた。例えば、近時では図１０に示すように、弱火で米に吸水させる吸水工程、強火とファジーな火力で沸騰させてから水分が無くなり温度が急上昇し始めるまでの炊き上げ工程、１３０℃程度まで加熱して余分な水分をさらに飛ばす焼き工程、その後１１５℃までの降温を図って一定時間それを維持する高温蒸らしを経てさらに１１０℃まで降温させてそれを維持することにより余分な蒸気を飛ばしご飯のα化をさらに促進して甘味を増す蒸らし工程、を順次行い炊飯を終える。炊飯後は所定の保温温度にまで降温させてそれを維持する保温工程に移行する。
【０００３】
さらに、炊飯の加熱制御は炊飯器の３合炊き、５．５合炊き、７合炊きといった機種サイズ、つまり電気炊飯器での最大炊飯容量の違いによって微妙に違わせることでも、機種サイズの違いに対応して美味しいご飯が炊けるようにしている（例えば、特許文献１参照。）。
【０００４】
一方、電気炊飯器は高機能化、多機能化するなか、制御系基板に搭載する電気、電子系部品の数が勢い増大してコストアップの原因になっている。そこで、制御系基板の複数の機種に対する共通化をできるだけ図ってコストを低減し、一部共通部品の搭載位置を違えることにより機種の違いに応じたモードの制御ができるようにすることも行われている（例えば、特許文献１参照。）。
【特許文献１】特開２００３−１１１６６６号公報
【発明の開示】
【発明が解決しようとする課題】
【０００５】
しかし、一部共通部品の搭載位置を変えて機種ごとの制御モードの違いに対応するのでは、共通部品とする制御系基板に一部共通部品に対する搭載部を複数の異なった位置に設けておくことになるため、誤った位置を選択して搭載することが生じかねず、これがそのまま製品に装備されると別機種のモードでの制御となってしまうが、微妙な違いのためにメーカー側でも発見には労力と時間が掛かるし、万一、ユーザ側に渡って実使用されると制御異常と断定しにくいものの、炊飯状況やご飯の炊き上がり具合に不満や不信を抱かれかねない。
【０００６】
これに対応するのに、複数の搭載部を色分けしたり、機種に対応する表示を施したりして、各搭載部の位置の違いによる機種の違いを区別しやすくすることが考えられるが、前記のような誤搭載は機械的に防止し切れない。
【０００７】
本発明の目的は、異なる機種に共通な回路基板を採用して一部共通部品の異なった位置への搭載によって制御モードが変わるようにするのに、一部共通部品が誤搭載された製品が組み込まれるのを阻止できる電気炊飯器を提供することにある。
【課題を解決するための手段】
【０００８】
上記のような目的を達成するため、本発明の電気炊飯器は、蓋閉じ状態の器体内で加熱により炊飯を行う飯器と、前記加熱を行う加熱手段と、部品を搭載した複数の機種にほぼ共通な回路基板を含み、前記加熱手段を複数の機種ごとの制御モードで制御した炊飯が行える制御手段と、を備え、回路基板は、複数の機種にほぼ共通した共通部品を搭載する共通部品搭載部が複数の機種ごとに異なった位置に設けられて、特定機種の共通部品を搭載した共通部品搭載部の位置の違いにより制御手段の制御モードが特定機種に対応するように特定され、かつ、複数の機種ごとに異なる個別部品を搭載する個別部品搭載部が特定位置に設けられて、この個別部品搭載部に特定機種に対応する個別部品を搭載することにより、搭載した個別部品がこれに対応する特定機種以外の他機種に対応する共通部品搭載部をマスキングするようにしたことを主たる特徴としている。
【０００９】
このような構成では、加熱手段を制御して炊飯を行う制御手段に含む回路基板として複数の機種にほぼ共通なものを採用して、複数の機種にほぼ共通な共通部品が回路基板上の複数位置にある共通部品搭載部のどれに搭載しているかによって制御手段が特定機種に対応したモードで加熱手段を制御して炊飯できるようにするが、複数の機種ごとに異なる個別部品が回路基板の特定位置にある個別部品搭載部に搭載されていることにより、この搭載された個別部品に対応する特定機種と異なる他機種に対応した回路基板上の共通部品搭載部をマスキングするようにしているので、特定機種に対応する個別部品が先に搭載されていれば、他機種に対応する共通部品搭載部への共通部品の搭載が機械的に阻止されるし、他機種に対応する共通部品搭載部に共通部品が先に搭載されていれば、その搭載されている共通部品が特定機種に対応する個別部品の搭載時のマスキングを機械的に邪魔することになり、特定機種に対応する個別部品の搭載と共通部品の特定機種に対応する特定の共通部品搭載部への搭載とを機械的に保証し合うことができる。
【００１０】
ここに、個別部品を先に搭載し、その後に共通部品を搭載すると、先に搭載した個別部品により特定する機種に対応した位置に共通部品が必ず搭載されるように機械的に規制することができる。
【００１１】
個別部品が非制御系部品であると、その個別部品搭載部は回路基板上の電気的な共通性を損なわずに機種により異ならせて、個別部品の搭載またはおよびマスキングに有利にすることはできる。この場合、回路基板の生地が種類分けされるだけでコストを特に上昇させる原因にはならない。しかし、個別部品搭載部は、個別部品それぞれに共通して１種類設ける、さらなる構成では、回路基板の生地自体も複数の機種に共通のものとなる。
【００１２】
共通部品は、バックアップ用の電池である、さらなる構成では、電池は人手によって取り扱い回路基板に半田付けなどして搭載するのが容易で、電子部品の実装機などによって大量生産された回路基板を電気炊飯器の組立て段階にて作業者が電池を搭載しその時々に必要な特定機種に対応するものとして組付けることができる。
【００１３】
個別部品は、非制御系部品である、さらなる構成では、制御系に悪影響しない範囲で、それ自体の形状、構造、材質、回路基板への搭載構造等の選択の自由度が高く設計しやすいし、見分け、搭載および搭載有無の視認に便利な部品を選択することができる。また、他機種に対応する共通部品搭載部をマスキングするマスク部を付帯させるにも、一体成形するにも設けやすい。例えば、回路基板上に設ける液晶表示具の支持部材は合成樹脂製で大きく個別部品として取り扱うのに好適で、複数の機種に共通な液晶表示具を支持して回路基板に搭載されるものでありながら、近時のコンパクト設計によって機種ごとのサイズぎりぎりの大きさ形状に設計されて複数の機種ごとに異なる個別部品となっているのを有効利用することができ、マスク部をリブ状、カバー状などの必要な形状、大きさで一体形成するなどして、必要数容易に設けられる。
【００１４】
マスク部は、他機種の共通部品搭載部をなす穴部に嵌り合ってマスキングするようにすると、他機種に対応する共通部品の搭載をより確実に阻止することができる。この場合、共通部品搭載部をなす穴部の拡張部に穴部の一部を含んで嵌り合う、さらなる構成では、穴部よりも断面の大きなマスク部により穴部の拡張部を利用して穴部との嵌まり合い部を持ったマスキングができる。
【００１５】
本発明のそれ以上の目的および特徴は、以下の詳細な説明および図面によって明らかになる。本発明の各特徴は可能な限りそれ単独で、あるいは種々な組合せで複合して採用することができる。
【発明の効果】
【００１６】
本発明の、電気炊飯器の主たる特徴によれば、装備する回路基板を複数の機種にほぼ共通にして低コスト化を図りながら複数の機種にほぼ共通な共通部品の搭載位置によって特定機種に対応した制御機能を確保するのに、共通部品の特定機種に対応した搭載位置と特定機種に対応する個別部品の搭載との相互関係を利用して共通部品の特定機種に対応した搭載を機械的に保証し、制御手段に他機種に対応した制御機能を持たせることを確実に防止し、炊飯性能および信頼性の高いものとすることができる。
【００１７】
個別部品搭載部は、個別部品それぞれに共通して１種類設ける、さらなる構成によれば、回路基板の生地自体も複数の機種に共通のものとなり、取り扱いおよびコストの面で有利である。
【００１８】
共通部品は、バックアップ用の電池である、さらなる構成によれば、人手によって取り扱い搭載するのが容易で、電気炊飯器の組立て段階にて電池を搭載し機種を特定させる自由度が得られ製品の製造、品質管理に便利で、場合により電池を搭載した時点からのバックアップ給電にて特定した機種などを表示させられる。
【００１９】
個別部品は、非制御系部品である、さらなる構成によれば、それ自体の設計自由度が高いし、見分け、搭載および搭載有無の視認に便利な部品を選択することができる。また、前記マスキングを行うマスク部を設けやすい。
【００２０】
マスク部は、共通部品搭載部をなす穴部の拡張部に穴部の一部を含んで嵌り合う、さらなる構成によれば、拡張部に対応する穴部よりも断面の大きなマスク部により十分な強度を確保して穴部との嵌め合い部をマスキングし、他機種に対応する位置への共通部品の搭載を確実に阻することができる。
【発明を実施するための最良の形態】
【００２１】
以下、本発明に係る電気炊飯器の実施の形態について、図１〜図９を参照しながら詳細に説明し本発明の理解に供する。
【００２２】
本実施の形態の電気炊飯器は、図１を参照して既述した基本的構成を有しているが、加熱手段４として、主に飯器３を電磁誘導にて発熱させて内容物を加熱する加熱コイル１１を用いたものであり、加熱コイル１１は飯器３の底部とその外まわり部を発熱させるように配置している。加熱手段４は他に飯器３の胴部を加熱する保温ヒータ１２、器体２を閉じる蓋１の内側で飯器３の口部をシールパッキン１３ａにより閉じる金属製の内蓋１３を加熱する蓋ヒータ１４を組合せ備え、前記炊飯時の各種加熱工程や炊飯後の保温を行うようにしている。しかし、これに限られることはなく、飯器３および内蓋１３の全体を各部に配置した加熱コイルからの電磁誘導にて発熱させ加熱を行うようにしてもよいし、全体をヒータにより加熱するものでもよい。また、その加熱構造も特に問わない。
【００２３】
加熱コイル１１は電源・駆動基板１５によってそれに搭載したＩＧＢＴ１６のスイッチング機能を利用した高周波駆動を受け、その時々に必要な加熱容量で出力されるようにしている。電源・駆動基板１５上にはＩＧＢＴ１６を始めとする発熱素子が搭載されており、それらを冷却する冷却ファン１７が器体２内に設けられている。また、特に発熱の大きなＩＧＢＴ１６等はその冷却効果を高めるためにヒートシンク１８に接触させて冷却しやすくしている。保温ヒータ１２および蓋ヒータ１４には電源・駆動基板１５を通じて１００Ｖの交流電流をそのまま給電し、肩部の前部に設けた操作パネル３１の内側に設けたマイクロコンピュータ２２を搭載した制御基板２３にはそれぞれに必要な直流電流を給電するようにしており、これらは制御手段６を構成している。
【００２４】
器体２に施された蓋１は器体２の後部にヒンジピン１３１により起伏および着脱できるように枢支され器体２の上端を開閉できるようになっている。蓋１にはこれを開き方向に付勢するばね３３が器体２との間に働かされている。ばね３３の付勢による開き動作を制動する制動機構が必要に応じて設けられるし、蓋１が勝手に開かないように閉じ位置にロックするよう図示しないばねにて付勢したロック爪３４が設けられ、ロック爪３４をばねに抗して回動させることにより蓋１がばね３３の付勢によって自動的に開かれる。
【００２５】
内蓋１３は蓋１の下面に嵌め合わされ、その嵌め合わせ境界部に前記シールパッキン１３ａを挟み込んで保持し、蓋ヒータ１４は内蓋１３の上面に設けてヒンジピン１３１まわりを迂回する図示しない給電コードを介し器体２側から給電する。蓋１の中央部には蒸気を適度に外部に逃がす蒸気通路３７が設けられ美味しいご飯が炊けるようにしている。器体２の外壁４１と内壁４２とはそれらの上端部が肩部材４３によって連結一体化され合成樹脂製の器体を構成している。なお、合成樹脂は透磁性を有し、加熱コイル１１などが飯器３を電磁誘導加熱させる範囲に設ければ有効であるが、他の部分にそのような有効性はなく、他の部材と代替することができる。
【００２６】
蓋１は合成樹脂製の上板４４と下板４５の間の空間に断熱材４６を充填した断熱構造をなし、その下板４５の中央部に嵌め付けた内蓋１３と上板４４との間の中央に前記蒸気通路３７の通路上部３７ａを上板４４側に設け、この通路上部３７ａにはその弾性ブッシュ４９を利用するなどして蒸気通路３７の合成樹脂製の通路下部３７ｂが下方から着脱できるように嵌め付けられている。これにより蓋１を取り外して清掃できるし、通路下部３７ｂは単独で取り外して丸洗いなどできる。器体２にはさらに電源コードの巻取りリール５１が内蔵され、手提げハンドル５２が起伏できるように枢支して外付けされている。
【００２７】
器体２の内壁４２の底部まわりには、合成樹脂製の放射状をしたコイル台５３が配置され、加熱コイル１１を下方から保持するようにしている。コイル台５３の各放射状部に形成した下向きの凹部内にはフェライトコア５４が設けられて加熱コイル１１の働きを助けている。コイル台５３の中央部では内壁４２の中央穴５５を前記温度センサ５が貫通して飯器３の底部に当接し飯器３の温度を検出するようにしている。
【００２８】
操作パネル３１には図１に示すようにレンズタイプの液晶表示窓６２やくり抜き部などによる樹脂ばねを利用した各種操作キー６４群、ランプ表示部などが設けられ、操作パネル３１の内側に前記制御基板２３を配し、制御基板２３の上面に搭載された図３（ａ）に示すような各種スイッチ６３群を前記操作キー６４群の真下に対応させて、対応する操作キー６４の操作、操作解除に応動してオン、オフ動作し、図３に示す制御基板２３の裏面に設けられたプリント配線と搭載部品とが形成している制御回路に反映させ、炊飯を始めとする各種調理メニュー、動作モードの設定、調理のスタート、などを行う。
【００２９】
マイクロコンピュータ２２は図３（ｂ）に示すように、操作パネル３１からの入力に従って、炊飯を始めとする各種調理などを行うべく、温度センサ５からの温度情報を基に、加熱コイル１１、保温ヒータ１２、蓋ヒータ１４、および冷却ファン１７をそれぞれのドライバ７１、７２、７３、７４を介して駆動する。
【００３０】
本実施の形態では、特に、制御手段６は部品を搭載した複数の機種にほぼ共通な回路基板として既述した制御基板２３を含んでいて、この制御基板２３は、複数の機種にほぼ共通した図３（ａ）（ｂ）、図４に示す共通部品８１を搭載する共通部品搭載部８２ａ、８２ｂ・・が複数の機種ごとに異なった位置に設けられて、特定機種の共通部品８１を搭載した共通部品搭載部８２ａまたは８２ｂの位置の違いにより制御手段６の制御モードが特定機種に対応するように特定され、かつ、複数の機種ごとに異なる図２、図３（ａ）（ｂ）、図４に示すような個別部品８３を搭載する個別部品搭載部８４が特定位置に設けられて、この個別部品搭載部８４に特定機種に対応する個別部品８３を搭載することにより、搭載した個別部品８３がこれに対応する特定機種以外の他機種に対応する共通部品搭載部８２ａまたは８２ｂをマスキングするようにしている。図示するのは説明の簡単のために２つの共通部品搭載部８２ａ、８２ｂを設けた場合の一例であって、その数や形態は特に問わない。要するに、共通部品８１を複数の機種ごとに異なる位置とした共通部品搭載部８２ａ、８２ｂへの選択的な搭載によって、その搭載位置の違いに応じて制御基板２３上のプリント回路との関係、部品との関係などから未特定であった制御手段６における信号ラインや動作ライン、給電ラインなどの少なくとも１つを特定して、特定機種に対応した動作モードが得られるものであればよい。
【００３１】
このように、加熱手段を制御して炊飯を行う制御手段６に含む回路基板としての制御基板２３を、複数の機種にほぼ共通なものとして採用し、複数の機種にほぼ共通な共通部品８１が制御基板２３上の複数位置にある共通部品搭載部８２ａ、８２ｂのどれに搭載しているかによって制御手段６が特定機種に対応したモードで加熱手段４を制御して炊飯などの調理ができるようにするのに、複数の機種ごとに異なる個別部品８３が図３（ａ）（ｂ）、図４に示すように制御基板２３の特定位置にある個別部品搭載部８４に搭載されていることにより、この搭載された個別部品８３に対応する特定機種と異なる他機種に対応した制御基板２３上の共通部品搭載部８２ｂをマスキングするようにしているので、特定機種に対応する個別部品８３が先に搭載されていれば、他機種に対応する共通部品搭載部８２ｂへの図４に仮想線で示す共通部品８１の搭載が機械的に阻止される。また、他機種に対応する共通部品搭載部８２ｂに共通部品８１が先に搭載されていれば、その搭載されている共通部品搭載部８２ｂの共通部品が特定機種に対応する個別部品８３の搭載時の共通部品搭載部８２ｂに対するマスキングを機械的に邪魔する。これらにより、特定機種に対応する個別部品８３の搭載と共通部品８１の特定機種に対応する特定の共通部品搭載部８２ａへの搭載とを機械的に保証し合うことができる。ここに、個別部品８３を先に搭載し、その後に共通部品８１を搭載すると、先に搭載した個別部品８３により特定する機種に対応した位置に共通部品８１が必ず搭載されるように機械的に規制することができる。
【００３２】
したがって、装備する制御基板２３を複数の機種にほぼ共通にして低コスト化を図りながら複数の機種にほぼ共通な共通部品８１の搭載位置によって特定機種に対応した制御機能を確保するのに、共通部品８１の特定機種に対応した搭載位置と特定機種に対応する個別部品８３の搭載との相互関係を利用して共通部品８１の特定機種に対応した搭載を機械的に保証し、制御手段６に他機種に対応した制御機能を持たせてしまうことを確実に防止し、炊飯性能および信頼性の高いものとすることができる。
【００３３】
もっとも、共通部品８１の搭載なしの状態で１つの機種に対応した回路状態に特定しておき、複数の他機種に対応した共通部品搭載部８２ａ、８２ｂ・・への共通部品８１の選択的な搭載によって複数の他機種のうちのどれかに対応した回路状態に切り替わるようにすることもできる。この場合、初期から特定している回路状態に対しては新たな共通部品８１の搭載がないので、個別部品搭載部８４に搭載した個別部品８３は制御基板２３に設けた複数の共通部品搭載部８２ａ、８２ｂ・・の全てをマスキングして共通部品８１の搭載が行われないようにすることが必要になる。
【００３４】
また、個別部品８３は非制御系部品とすることにより、その個別部品搭載部８４は制御基板２３上の電気的な共通性を損なわずに機種により異ならせて、個別部品８３の搭載またはおよびマスキングに有利にすることはできる。この場合、回路基板の生地が種類分けされるだけでコストを特に上昇させる原因にはならない。しかし、図示例のように個別部品搭載部８４は、個別部品８３それぞれに共通して１種類設ける構成とすることにより、制御基板２３の生地自体も複数の機種に共通のものとなる。
【００３５】
図示例では共通部品８１としてバックアップ用の電池８１ａを採用していて、電池８１ａは人手によって取り扱い制御基板２３に半田付けなどして搭載するのが容易で、電子部品の実装機などによって大量生産された制御基板２３を電気炊飯器の組立て段階にて作業者が電池８１ａを搭載しその時々に必要な特定機種に対応するものとして組付けることができる。従って、電気炊飯器の組立て段階にて電池８１ａを搭載し機種を特定させる自由度が得られ製品の製造、品質管理に便利で、場合により電池８１ａを搭載した時点からのバックアップ給電にて特定した機種などを表示させられる。このため、共通部品搭載部８２ａ、８２ｂは電池８１ａの一対の接続端子８１ｂを挿入する穴部として設け、これに電池８１ａの接続端子８１ｂを挿入して制御基板２３上のプリント配線などに半田付けすることで搭載できるようにしている。この場合、電子８１ａは制御基板２３のプリント配線面側、つまり下面側から挿入して搭載することにより、上面側にある多数の部品との干渉を避けやすい。
【００３６】
また、図示例での個別部品８３は既述した非制御系部品であり、制御系に悪影響しない範囲で、それ自体の形状、構造、材質、制御基板２３への搭載構造等の選択の自由度が高く設計しやすいし、見分け、搭載および搭載有無の視認に便利な部品を選択することができる。また、他機種に対応する共通部品搭載部８２ｂなどを図３（ａ）（ｂ）、図４に示すようにマスキングするマスク部８３ａを一体成形するにも、これに代えて付帯させるにも設けやすい。さらに具体的には、制御基板２３上に設ける図１、図３（ａ）に示すような液晶表示具９１の支持部材８３ｂは合成樹脂製で大きく個別部品８３として取り扱うのに好適で、複数の機種に共通な液晶表示具９１を支持して制御基板２３に搭載されるものでありながら、近時のコンパクト設計によって図１に示すような機種ごとのサイズぎりぎりの大きさ形状に設計されて複数の機種ごとに異なる個別部品８３となっているのを有効利用することができ、マスク部８３ａを図示するようにリブ状したり、あるいはカバー状などの必要な形状、大きさで一体形成するなどして、必要数容易に設けられる。支持部材８３ｂは合成樹脂製であるのを利用してマスク部８３ａと共に、制御基板２３に搭載するための図１、図４に示すようなフック８３ｃを複数一体形成しており、このフック８３ｃを制御基板２３に個別部品搭載部８４として複数形成した穴部に挿入することにより制御系には無関係に搭載している。
【００３７】
しかも、このような個別部品８３である支持部材８３ｂは、これに対応する機種以外の機種に組付けられると、そのぎりぎりの大きさ、形状の設計であることによって、炊飯器の制御基板２３の装備部まわりと干渉して組み上げられず、搭載している支持部材８３ｂが異機種のものであることが判明する。もっとも、このような干渉関係を誤搭載判定部として判定専用に構成しておくことができる。例えば、支持部材８３ｂの誤搭載があると特定のスイッチ６３が正常に働かないとか、操作キー６４が正常に機能しなくなるとかしておくこともできる。
【００３８】
図５（ａ）に示す例のようにマスク部８３ａは、個別部品８３の搭載によって特定した機種でない他機種の共通部品搭載部８２ｂをなす穴部に嵌り合ってマスキングするようにすると、他機種に対応する仮想線で示す共通部品８１の搭載をより確実に阻止することができる。また、仮想線で示す共通部品８１の搭載作業自体を阻止して近時高密度配線、高密度搭載になっている制御基板２３を徒に傷めてしまうような不都合を回避することができる。この場合、図５（ｂ）に示すように、マスク部８３ａが、共通部品搭載部８２ａ、８２ｂをなす穴部の拡張部８２ｃに穴部の一部を含んで嵌り合うようにすると、共通部品搭載部８２ａ、８２ｂ穴部よりも断面の大きなマスク部８３ａにより穴部の拡張部を利用して穴部との嵌まり合い部を持ったマスキングができる。
【００３９】
図５（ａ）の例ではさらに、マスク部８３ａとフック８３ｃとを共用したものとしてあり、従って、搭載部８２ｂ、８４も１つの穴部を共用している。従って、図４の図示例での個別部品搭載部８４に対応した図５に破線で示す単独な個別部品搭載部８４は不要となる。必要に応じて図５（ｂ）に示す例に適用することもできる。
【００４０】
図６に示す例では、図４に示す例の場合に加え、さらに、個別部品８３に共通部品搭載部８２ｂをマスキングしているマスク部８３ａと共に、共通部品搭載部８２ａへの共通部品８１の搭載を片面で案内する案内部８３ｄを一体形成している。これにより、電池８１ａの細く薄い接続端子８１ｂを穴部に挿入して搭載するのに、電池８１ａの揺れや振れ、傾きなどによって密な配線パターンや搭載部品を傷めるようなことを防止しやすい。なお、仮想線で示すように個別部品８３にこれが合わない機種の本体１０１との間で干渉するような突起１０２などを形成しておけば、個別部品８３を誤搭載した制御基板２３が本体に組み込まれてしまうのを防止することができる。
【００４１】
図７に示す例では図６に示す例に代えて接続端子８１ｂを受け入れて案内する筒状の案内部８３ｆを設けてあり、案内機能をさらに高めながら配線パターンや搭載部品に対する隔離性を持たせられるようにしている。
【００４２】
図８に示す例では、制御基板２３の上面に電池８１ａを搭載する場合、個別部品８３のボス部８３ａとの干渉による電池８１ａの共通部品搭載部８２ｂなどへの誤搭載防止機能を高められるし、本体１０１側に設けた突起１０３と共通部品搭載部８２ａに誤搭載した電池８１ａと干渉して制御基板２３の本体へ組み込めないようにすることもできる。
【００４３】
図９に示す例では共通部品搭載部８２ｂの穴部をジャンパー線１０４を個別部品８３としてマスキングすることにより、仮想線で示す電池８１ａの搭載ができないようにしている。このようなマスキングは抵抗やジャンパースイッチなど他の部品を個別部品８３として行うこともできる。
【００４４】
なお、以上のような異機種に共通な回路部材の機種サイズごとに対応した特定操作方法は、電源・駆動基板１５など他の回路基板に適用することもできる。
【産業上の利用可能性】
【００４５】
本発明は、電気炊飯器に実用でき、異機種に共通な回路基板を特定機種に対応させる部品の誤装着による問題を回避できる。
【図面の簡単な説明】
【００４６】
【図１】本発明の実施の形態に係る電気炊飯器の断面図である。
【図２】図１の電気炊飯器の底を除去して見た内部の底面図である。
【図３】図１の電気炊飯器の制御基板の平面図と制御回路のブロック図である。
【図４】図１の電気炊飯器での制御基板における個別部品と共通部品との搭載関係の１つの例を示す断面図である。
【図５】図１の電気炊飯器での制御基板における個別部品と共通部品との搭載関係の別の例を示す断面図と変形例を示す平面図である。
【図６】図１の電気炊飯器での制御基板における個別部品と共通部品との搭載関係の他の例と変形例を示す断面図である。
【図７】図１の電気炊飯器での制御基板における個別部品と共通部品との搭載関係の今１つの例を示す断面図である。
【図８】図１の電気炊飯器での制御基板における個別部品と共通部品との搭載関係のさらに別の例を示す断面図である。
【図９】図１の電気炊飯器での制御基板における個別部品と共通部品との搭載関係のさらに他の例を示す断面図である。
【図１０】図１の電気炊飯器の炊飯から保温までの加熱制御例を示すタイムチャートである。
【符号の説明】
【００４７】
１  蓋
２  器体
３  飯器
４  加熱手段
６  制御手段
１１  加熱コイル
１２  保温ヒータ
１３  内蓋
１４  蓋ヒータ
２２  マイクロコンピュータ
３１  操作パネル
８１、８１ａ  共通部品
８２ａ、８２ｂ  共通部品搭載部
８３、８３ｂ、１０４  個別部品
８３ａ  マスク部
８３ｂ  フック
８４  個別部品搭載部
【図１】
2005305005.tif 000003
【図２】
2005305005.tif 000004
【図３】
2005305005.tif 000005
【図４】
2005305005.tif 000006
【図５】
2005305005.tif 000007
【図６】
2005305005.tif 000008
【図７】
2005305005.tif 000009
【図８】
2005305005.tif 000010
【図９】
2005305005.tif 000011
【図１０】
2005305005.tif 000012